(57)【要約】【課題】装置本体部と画像表示部とを回動させても、装置本体部と画像表示部との隙間にフレキシブルケーブルが挟まれることのない画像表示部収納型機器及び車載用情報機器を提供する。【解決手段】装置本体部１０と、この装置本体部１０の内部に収納され、引き出された後に装置本体部１０に対して回動する画像表示部２０とを備え、装置本体部１０及び画像表示部２０が、画像表示部２０の回動に伴って屈曲可能なフレキシブルケーブル１００によって電気的に接続される画像表示部収納型機器において、装置本体部１０の装置底面側に向けて引き回したフレキシブルケーブル１００を装置上面側に向けて屈曲させる湾曲部１２３を有する屈曲部支持部材１２０と、この屈曲部支持部材１２０から装置上面側に延びるフレキシブルケーブル１００の姿勢を維持させる平面部１３３を有する姿勢保持部材１３０とを備えた。【選択図】図７
2009119941.tif 000002
【特許請求の範囲】
【請求項１】
装置本体部と、この装置本体部の内部に収納され、引き出された後に前記装置本体部に対して回動する画像表示部とを備え、前記装置本体部及び画像表示部が、前記画像表示部の回動に伴って屈曲可能なフレキシブルケーブルによって電気的に接続される画像表示部収納型機器において、
前記装置本体部の装置底面側に向けて引き回したフレキシブルケーブルを装置上面側に向けて屈曲させる湾曲部を有する屈曲部支持部材と、
この屈曲部支持部材から装置上面側に延びるフレキシブルケーブルの姿勢を維持させる平面部を有する姿勢保持部材と
を備えたことを特徴とする画像表示部収納型機器。
【請求項２】
前記画像表示部には、前記画像表示部の背面側から前面側にフレキシブルケーブルを案内する第１案内部と、この第１案内部で案内されたフレキシブルケーブルを背面側に導く第２案内部とが設けられていることを特徴とする請求項１に記載の画像表示部収納型機器。
【請求項３】
前記屈曲部支持部材及び前記姿勢保持部材を前記装置本体部に設けたことを特徴とする請求項１または請求項２に記載の画像表示部収納型機器。
【請求項４】
前記第２案内部から前記装置本体部の上面側に導かれると共に前記姿勢保持部材によって装置上面側に導かれたフレキシブルケーブルが上面側に凸となる屈曲部を形成するように構成したことを特徴とする請求項２または請求項３に記載の画像表示部収納型機器。
【請求項５】
装置本体部と、この装置本体部の内部に収納され、引き出された後に前記装置本体部に対して回動する画像表示部とを備え、前記装置本体部及び画像表示部が、前記画像表示部の回動に伴って屈曲可能なフレキシブルケーブルによって電気的に接続される車載用情報機器において、
前記装置本体部の装置底面側に向けて引き回したフレキシブルケーブルを装置上面側に向けて屈曲させる湾曲部を有する屈曲部支持部材と、
この屈曲部支持部材から装置上面側に延びるフレキシブルケーブルの姿勢を維持させる平面部を有する姿勢保持部材と
を備えたことを特徴とする車載用情報機器。
【請求項６】
前記画像表示部には、前記画像表示部の背面側から前面側にフレキシブルケーブルを案内する第１案内部と、この第１案内部で案内されたフレキシブルケーブルを背面側に導く第２案内部とが設けられていることを特徴とする請求項５に記載の車載用情報機器。
【発明の詳細な説明】
【技術分野】
【０００１】
本発明は、装置本体に対し画像表示部を回動させて使用する画像表示部収納型機器及び車載用情報機器に関する。
【背景技術】
【０００２】
自動車等の移動体には、ＤＶＤやカーナビゲーションシステムなどの情報通信機器が搭載されたものがある。これらの機器は、前面に操作パネルが取り付けられた装置本体部と、この装置本体部の内部に収納され、液晶パネル等で構成された画面を有する画像表示部とを備えている。この画像表示部は、例えば、画面が下側に向けて装置本体内部に収納されており、使用時にはこの画像表示部を手前側に引き出すと共に、この画像表示部を上方に向けて回動させる（起こす）ことにより、利用者が画面を見ることができるようになっている（例えば、特許文献１参照）。
また、上述した装置本体部と画像表示部とは、フレキシブルケーブルによって電気的に接続されており、これにより画像表示部が回動するのに伴ってフレキシブルケーブルが自由に屈曲して追従するようになっている。
【特許文献１】特開平６−２４７２１８号公報
【発明の開示】
【発明が解決しようとする課題】
【０００３】
しかしながら、上述の構成では、画像表示部と装置本体部とを接続するフレキシブルケーブルの必要長さは、画像表示部を回動させる前よりも後の方が長く必要になる。そのため、フレキシブルケーブルの長さを、回動後の長さに合わせて長い寸法で決定した場合、回動前の状態ではフレキシブルケーブルの長さに余裕が生じることになる。そのため、画像表示部を回動させたときに、この余裕分によって、フレキシブルケーブルが装置本体部と画像表示部との隙間に挟まれてしまうおそれがある。
【０００４】
本発明は、上述した事情に鑑みてなされたものであり、装置本体部と画像表示部とを回動させても、装置本体部と画像表示部との隙間にフレキシブルケーブルが挟まれることのない画像表示部収納型機器及び車載用情報機器を提供することを目的とする。
【課題を解決するための手段】
【０００５】
本発明では、装置本体部と、この装置本体部の内部に収納され、引き出された後に前記装置本体部に対して回動する画像表示部とを備え、前記装置本体部及び画像表示部が、前記画像表示部の回動に伴って屈曲可能なフレキシブルケーブルによって電気的に接続される画像表示部収納型機器において、前記装置本体部の装置底面側に向けて引き回したフレキシブルケーブルを装置上面側に向けて屈曲させる湾曲部を有する屈曲部支持部材と、この屈曲部支持部材から装置上面側に延びるフレキシブルケーブルの姿勢を維持させる平面部を有する姿勢保持部材とを備えたことを特徴とする。
【０００６】
また、前記画像表示部には、前記画像表示部の背面側から前面側にフレキシブルケーブルを案内する第１案内部と、この第１案内部で案内されたフレキシブルケーブルを背面側に導く第２案内部とを設けることもできる。
さらに、前記屈曲部支持部材及び前記姿勢保持部材を前記装置本体部に設けてもよい。
さらにまた、前記第２案内部から前記装置本体部の上面側に導かれると共に前記姿勢保持部材によって装置上面側に導かれたフレキシブルケーブルが上面側に凸となる屈曲部を形成するように構成してもよい。
【０００７】
他方、装置本体部と、この装置本体部の内部に収納され、引き出された後に前記装置本体部に対して回動する画像表示部とを備え、前記装置本体部及び画像表示部が、前記画像表示部の回動に伴って屈曲可能なフレキシブルケーブルによって電気的に接続される車載用情報機器において、前記装置本体部の装置底面側に向けて引き回したフレキシブルケーブルを装置上面側に向けて屈曲させる湾曲部を有する屈曲部支持部材と、この屈曲部支持部材から装置上面側に延びるフレキシブルケーブルの姿勢を維持させる平面部を有する姿勢保持部材とを備えたことを特徴とする。
また、車載用情報機器であって、前記画像表示部には、前記画像表示部の背面側から前面側にフレキシブルケーブルを案内する第１案内部と、この第１案内部で案内されたフレキシブルケーブルを背面側に導く第２案内部とが設けることもできる。
【発明の効果】
【０００８】
本発明によれば、前記装置本体部の装置底面側に向けて引き回したフレキシブルケーブルを装置上面側に向けて屈曲させる湾曲部を有する屈曲部支持部材と、この屈曲部支持部材から装置上面側に延びるフレキシブルケーブルの姿勢を維持させる平面部を有する姿勢保持部材とを備えているので、姿勢保持部材でフレキシブルケーブルの姿勢を維持させることで、フレキシブルケーブルが屈曲部支持部材上で所定の弧を描きながら屈曲するようになる。これにより、フレキシブルケーブルを屈曲部支持部材で定められた経路を通るように配線経路を定めることができ、フレキシブルケーブルの余裕分を吸収することができる。その結果、フレキシブルケーブルがその余裕分で装置本体部の上面側に突出することがなくなり、装置本体部と画像表示部との隙間にフレキシブルケーブルが挟まれないようにすることができる。
また、
【発明を実施するための最良の形態】
【０００９】
以下、本発明の実施の形態に係る画像表示部収納型機器について、図面を参照しながら説明する。なお、本実施の形態では、画像表示部収納型機器の一例として、自動車のインストルメントパネルに取り付けられる車載用情報機器（カーナビゲーションシステム、ＤＶＤ再生システム、地上デジタルＴＶなどの機能を有する機器）について説明する。
【００１０】
図１は、本発明の実施の形態に係る車載用情報機器の全体斜視図、図２は、図１の状態から画像表示部を手前側に引き出して立ち上げた状態を示す斜視図を示す。また、図３から図６は、画像表示部を収納した状態から引き出した状態を経由して立ち上げた状態までの一連の動作過程のそれぞれを示す側面図である。
なお、以下の説明において、上面側及び下面側（底面側）等の方向は、図１に示す状態に基づくものとする。
【００１１】
車載用情報機器１は、図１及び図２に示すように、機器の外側を構成する装置本体部１０と、この装置本体部１０から引き出し可能に設けられた画像表示部２０と、装置本体部１０の前面であって、画像表示部２０の下側に取り付けられた操作パネル３０と、この車載用情報機器１が自動車のインストルメントパネルＰの取付開口部Ｑに取り付けられたときに、この取付開口部Ｑの縁部を車室内側から覆う化粧パネル４０とを備えている。
【００１２】
装置本体部１０は、その外側部分が板金加工によって形成された略直方体の形状をなしており、いわゆる１ＤＩＮサイズ（縦５０ｍｍ×横１７８ｍｍ）の大きさに形成されている。すなわち、インストルメントパネルＰの表面積が狭いものであっても、取付可能な大きさに形成されており、図１に示すように、インストルメントパネルＰの取付開口部Ｑに挿入されて図示しない取付金具等によって固定されるようになっている。
【００１３】
画像表示部２０は、図２に示すように、所定の厚みを有する略平板状に形成されており、一方の平面には、液晶表示画面２２が設けられている。この画像表示部２０は、車載用情報機器１が使用されていない状態（図１に示す状態）では、装置本体部１０の内部に画像表示部２０の前面側に位置する液晶表示画面２２が下側に向けられて収納される。他方、使用するときには、この画像表示部２０が液晶表示画面２２を下側に向けた姿勢のまま手前側（図１の矢印Ａ方向）に引き出された後、装置本体部１０の上面側に向けて回動し、液晶表示画面２２を利用者側に向けた状態（図２に示すように、画像表示部２０を起立させた状態）となる。また、画像表示部２０を収納するときは、その逆の動作により収納される。
【００１４】
画像表示部２０の引き出し方向における先端部２０ａは、図１及び図３に示すように、画像表示部２０が装置本体部１０内に収納された状態で、装置本体部１０よりも手前側に位置するようになっている。また、図３に示す状態から図４の状態まで画像表示部２０が引き出されると、画像表示部２０の移動に伴って、装置本体部１０の内部から中継部１１が引き出されるようになっている。この中継部１１は、詳細は後述するフレキシブルケーブル１００（図７〜図９参照）によって画像表示部２０と電気的に接続される一方、装置本体部１０のメイン基板にもフレキシブルケーブル（図示せず）によって電気的に接続されている。これにより、画像表示部２０は、電源や種々の信号の授受を、この中継部１１を経由して行うことができる。
【００１５】
この中継部１１は、装置本体部１０の内部に設けられたガイドレール（図示せず）によって画像表示部２０の引き出し方向に案内され、画像表示部２０と引き出し方向において所定の間隔をあけて自由に移動するようになっている。
また、画像表示部２０は、図示しないヒンジ部によって中継部１１と連結されており、図５及び図６に示すように、中継部１１と所定の間隔をあけたまま回動中心Ｚを中心に回動するようになっている。
【００１６】
図７は、画像表示部２０を引き出したときのフレキシブルケーブル１００の配線経路を示す側面図であり、図８及び図９は、回動中心Ｚを中心に画像表示部２０を回動させたときのフレキシブルケーブル１００の配線経路を示す側面図である。
【００１７】
このフレキシブルケーブル１００の長さは、画像表示部２０の回動前と後とを比較すると、回動後の方が長い寸法が必要となるため、回動後の寸法で製作されている。すなわち、回動前の状態では、フレキシブルケーブル１００の長さに余裕が生じてしまうことになる。そのため、フレキシブルケーブルの配線経路をその余裕分だけ装置本体部１０の上面側に凸状にする必要がある（図７参照）。
このとき、フレキシブルケーブル１００の凸状の頂点が、画像表示部２０の背面板２５（詳細は後述する。図７参照）及び中継部１１の上面板１４（図７参照）よりも上側に位置すると、画像表示部２０を回動させる際に、フレキシブルケーブル１００が装置本体部１０と画像表示部２０との間に挟まれるおそれがある。特に、画像表示部２０の厚みを薄くした場合、この厚みの範囲でフレキシブルケーブル１００を引き回す配線経路を確保することが困難になり、必然的に凸状の頂点が背面板２５等よりも上側になってしまう。そのため、本実施の形態では、凸状の頂点が背面板２５及び上面板１４の下側になるように、以下の構造を備えている。
【００１８】
画像表示部２０は、背面に位置する背面板２５と、前面に位置する前面パネル２６とでその外形が形成されており、図７に示すように、その内部に液晶パネル用基板２１が設けられている。この液晶パネル用基板２１上には、接続コネクタ２７によって自由に屈曲可能なフレキシブルケーブル１００の一端部が接続されている。この液晶パネル用基板２１は、図７において画像表示部２０の下側に液晶表示画面２２が設けられているため、液晶パネル２３の上側（画像表示部２０の背面側）に設けられることになる。
また、中継部１１は、図７に示すように、その内部に中継用基板１２が設けられており、この中継用基板１２上に設けられた接続コネクタ１３によってフレキシブルケーブル１００の他端部が接続されている。また、この中継部１１の上側には、上面板１４が設けられており、この上面板１４に中継用基板１２が取り付けられている。さらに、この上面板１４の画像表示部２０側の端部が下側に向けて折り曲げられ、画像表示部２０の引き出し方向とほぼ直交する平面を有する保持部１５が形成されている。なお、この保持部１５の機能については、詳細を後述する。
【００１９】
この構造では、画像表示部２０と保持部１５との隙間Ｙ（図７参照）は、画像表示部２０の回動中心Ｚの位置、図示しないヒンジ部の形状、および中継用基板１２上の接続コネクタ１３の位置によって定まることになる。これらを最適に配置した場合、図７から図９に示すように、画像表示部２０を回動させる前の状態（図７参照）で必要なフレキシブルケーブル１００の接続長さの方が、回動した後の状態（図９参照）で必要な接続長さよりも長くなる。そのため、画像表示部２０を回動させる前の状態において、少なくとも回動前と後の差分の長さだけ、フレキシブルケーブル１００に余裕を持たせている。
【００２０】
また、画像表示部２０の中継部１１側の端部には、画像表示部２０の背面側に位置する液晶パネル用基板２１から延出するフレキシブルケーブル１００を、液晶画面側（図７における画像表示部２０の下側）の端部まで引き回すための迂回構造部１１０が形成されている。
この迂回構造部１１０は、図７に示すように、背面板２５の端部を前面パネル２６側に向けて折り返して形成した第１案内部１１１と、この第１案内部１１１よりも外側に位置し、前面パネル２６の端部を背面板２５側に向けて突出させた第２案内部１１２とで構成されている。この第１案内部１１１と第２案内部１１２とは、図７に示すように、引き出し方向においてフレキシブルケーブル１００が挿通可能な隙間Ｘ１をあけて配置されている。また、第１案内部１１１は、前面パネル２６の近傍まで延びており、第１案内部１１１と前面パネル２６との間にフレキシブルケーブル１００が挿通可能な隙間Ｘ２が形成されている。
【００２１】
この迂回構造部１１０により、液晶パネル用基板２１から延びるフレキシブルケーブル１００は、前面パネル２６側の隙間Ｘ２を通過し、隙間Ｘ１を通過することで、画像表示部２０の液晶表示画面２２側（下側）から上側に向けて引き出されることになる。
【００２２】
他方、中継部１１には、フレキシブルケーブル１００の余裕分を吸収するために、中継部１１の下側に取り付けられた屈曲部支持部材１２０と、この屈曲部支持部材１２０の上側に取り付けられた姿勢保持部材１３０とが設けられている。
図１０（ａ）は、屈曲部支持部材１２０の側面図、図１０（ｂ）はその正面図を示す。また、図１１（ａ）は、姿勢保持部材１３０の側面図、図１１（ｂ）はその正面図を示す。フレキシブルケーブル１００は、図７に示すように、屈曲部支持部材１２０、及び姿勢保持部材１３０の機能により、略Ｓ字形状に屈曲するようになる。以下、このフレキシブルケーブル１００の中継部１１側で装置本体部１０の底面側に向けて凸に屈曲する屈曲部を第１屈曲部１００ａと呼び、この第１屈曲部１００ａよりも画像表示部２０側で装置本体部１０の上面側に向けて凸に屈曲する屈曲部を第２屈曲部１００ｂ（屈曲部）と呼ぶ。
【００２３】
屈曲部支持部材１２０は、図１０（ａ）、図１０（ｂ）に示すように、中継部１１にねじ等の締結部材によって取り付けられる取付部１２１、１２２と、フレキシブルケーブル１００の第１屈曲部１００ａを下側から支持（図７参照）する湾曲部１２３と、中継用基板１２を支えるためのストッパ１２５とを備えている。
湾曲部１２３は、図７に示すように、屈曲部支持部材１２０が中継部１１に取り付けられた状態で、接続コネクタ１３のほぼ下側から湾曲始点１２３ａが始まるように形成されている。また、湾曲部１２３の湾曲終点１２３ｂは、上述した保持部１５の下側に位置するようになっている。さらに、湾曲終点１２３ｂからは、引き出し方向に延びる受け部１２４が画像表示部２０側に延びるように形成されている。
また、ストッパ１２５は、図１０（ｂ）に示すように、右端部を上側に折り曲げて形成されており、このストッパ１２５に中継用基板１２が嵌るようになっている。
【００２４】
姿勢保持部材１３０は、図１１（ａ）、図１１（ｂ）に示すように、中継部１１の上面板１４にねじ等の締結部材によって取り付けられる取付部１３１、１３２と、フレキシブルケーブル１００が上下方向に延びる姿勢を維持させるため（図７参照）の保持部１３３（平面部）とを備えている。この保持部１３３は、上述した上面板１４に形成された保持部１５とほぼ面一な平面を有している。
【００２５】
この図７に示す状態から、画像表示部２０を上側に向けて徐々に回動させてゆくと、図８及び図９に示すように、フレキシブルケーブル１００の弛み（余裕分）は除々に小さくなる。
より詳細には、図８に示すように、第１屈曲部１００ａは屈曲部支持部材１２０の湾曲部１２３によって支持された状態のまま、第２屈曲部１００ｂの凸部の上端部が徐々に下降してゆく。この状態では、第２屈曲部１００ｂの凸部の上端部の位置は、画像表示部２０と中継部１１との最短隙間Ｒよりも下側になるようにしている。さらに画像表示部２０を回動させると、図９に示すように、フレキシブルケーブル１００の第２屈曲部１００ｂは、屈曲部支持部材１２０の受け部１２４に接触するようになる。
【００２６】
本発明の実施の形態に係る車載用情報機器によれば、装置本体部１０の装置底面側に向けて引き回したフレキシブルケーブル１００に第１屈曲部１００ａを形成させ、この第１屈曲部１００ａを下側から支持し、フレキシブルケーブル１００を装置上面側に向けさせる湾曲部１２３を有する屈曲部支持部材１２０を備えているので、フレキシブルケーブル１００をこの湾曲部１２３に沿わせることで、フレキシブルケーブル１００の配線経路及び配線経路長を１つに定めることができる。また、フレキシブルケーブル１００が屈曲部支持部材１２０よりも下側（装置本体部１０の底面側）に突出しないようにしている。
また、屈曲部支持部材１２０から装置本体部１０の上面側に延びるフレキシブルケーブル１００の姿勢を維持させる保持部１３３を有する姿勢保持部材１３０を備えているので、フレキシブルケーブル１００が上下に延びる姿勢が保持することにより、フレキシブルケーブル１００の配線経路及び配線経路長が１つに定められると共に、フレキシブルケーブル１００を屈曲部支持部材１２０の湾曲部１２３に沿わせ易くすることができる。
さらに、保持部１３３の平面と、中継部１１の上面板１４の先端部に位置する保持部１５の平面とをほぼ面一に形成しているので、この保持部１５によってもフレキシブルケーブル１００の姿勢を維持させることができる。
これにより、フレキシブルケーブル１００が上側に突出するおそれがなくなり、装置本体部１０と画像表示部２０との隙間にフレキシブルケーブル１００が挟まれるおそれがなくなる。
【００２７】
また、屈曲部支持部材１２０及び姿勢保持部材１３０を中継部１１に設けているので、装置本体側を引き回されるフレキシブルケーブル１００の配線経路を、装置本体部１０側だけの部材で調整することができる。また、これらの部材を装置本体部１０の組立時に組み立てられるので、組み立て作業性が向上する。
【００２８】
さらに、画像表示部２０には、背面板２５側に配置された液晶パネル用基板２１から液晶表示画面２２側にフレキシブルケーブル１００を案内する第１案内部１１１と、この第１案内部１１１で案内されたフレキシブルケーブル１００を背面板２５側に導く第２案内部１１２とが設けられているので、画像表示部２０の液晶表示画面側からフレキシブルケーブル１００を引き出すことができる。また、第２案内部１１２から装置本体部１０の上面側に導かれると共に姿勢保持部材１３０によって装置上面側に導かれたフレキシブルケーブル１００が上面側に凸となる第２屈曲部１００ｂを形成するように構成しているので、フレキシブルケーブル１００の第２屈曲部１００ｂの頂点の位置が、できるだけ装置本体部１０の底面側に位置するようにすることができる。その結果、フレキシブルケーブル１００が上側に突出するおそれがなくなり、装置本体部１０と画像表示部２０との隙間にフレキシブルケーブル１００が挟まれるおそれがなくなる。
【００２９】
以上、本発明を実施するための最良の形態について述べたが、本発明は既述の実施形態に限定されるものではなく、本発明の技術思想に基づいて各種の変形および変更が可能である。
例えば、本実施の形態では、画像表示部２０を上側に回動させる場合について説明したが、下側に向けて回動させる場合であっても適用することができる。この場合には、第１屈曲部１００ａ及び第２屈曲部１００ｂの突出方向をそれぞれ本実施の形態と逆側にすることで、装置本体部１０と画像表示部２０との間にフレキシブルケーブル１００が挟まれないようにすることができる。
【図面の簡単な説明】
【００３０】
【図１】本発明の実施の形態に係る車載用情報機器の全体斜視図である。
【図２】図１の状態から画像表示部を手前側に引き出して立ち上げた状態を示す斜視図である。
【図３】図１に示す車載用情報機器の側面図である。
【図４】図３に示す画像表示部を手前側に引き出した状態を示す側面図である。
【図５】図４に示す画像表示部を上側に回動させた状態を示す側面図である。
【図６】図５に示す画像表示部を完全に回動させた状態を示す側面図である。
【図７】画像表示部を引き出したときのフレキシブルケーブルの配線経路を示す側面図である。
【図８】図７の状態から画像表示部を上側に回動させたときのフレキシブルケーブルの配線経路を示す側面図である。
【図９】図８の状態から画像表示部をさらに上側に回動させたときのフレキシブルケーブルの配線経路を示す側面図である。
【図１０】第１屈曲部でのフレキシブルケーブルを支持する屈曲部支持部材であって、（ａ）は側面図、（ｂ）は正面図である。
【図１１】第１屈曲部と第２屈曲部の間でフレキシブルケーブルの姿勢を保持する姿勢保持部材であって、（ａ）は側面図、（ｂ）は正面図である。
【符号の説明】
【００３１】
１  車載用情報機器
１０  装置本体部
１１  中継部
１２  中継用基板
１３  接続コネクタ
１４  上面板
１５  保持部
２０  画像表示部
２１  液晶パネル用基板
２２  液晶表示画面
２３  液晶パネル
２５  背面板
２６  前面パネル
２７  接続コネクタ
３０  操作パネル
４０  化粧パネル
１００  フレキシブルケーブル
１００ａ  第１屈曲部
１００ｂ  第２屈曲部（屈曲部）
１１０  迂回構造部
１１１  第１案内部
１１２  第２案内部
１２０  屈曲部支持部材
１２１、１２２  取付部
１２３  湾曲部
１２３ａ  湾曲始点
１２３ｂ  湾曲終点
１２４  受け部
１２５  ストッパ
１３０  姿勢保持部材
１３１、１３２  取付部
１３３  保持部（平面部）
Ｒ  最短隙間
Ｘ１、Ｘ２、Ｙ  隙間
Ｚ  回動中心
【図１】
2009119941.tif 000003
【図２】
2009119941.tif 000004
【図３】
2009119941.tif 000005
【図４】
2009119941.tif 000006
【図５】
2009119941.tif 000007
【図６】
2009119941.tif 000008
【図７】
2009119941.tif 000009
【図８】
2009119941.tif 000010
【図９】
2009119941.tif 000011
【図１０】
2009119941.tif 000012
【図１１】
2009119941.tif 000013